(57)【特許請求の範囲】
【請求項１】
照明手段で被写体を照明し、
照明した前記被写体を撮像手段で撮像し、
撮像した前記被写体の写真シールを印刷手段で印刷して販売する写真シール自動販売方法であって、
制御手段で制御して、１の撮像開始指示に対して前記撮像手段で複数回連続して撮像する連続撮像を実行する際、
該連続撮像の撮像タイミングに同期して前記照明手段を発光させ、
表示手段に表示する複数のフレームのそれぞれに、異なる撮像時間ごと、複数備えた前記撮像手段ごとのうち、いずれか一方ごとに前記連続撮像した複数の撮像画像のいずれかを表示するとともに、
前記いずれか一方ごとに対応する前記連続撮像した各撮像画像を、フレーム内で順に入替え表示し、
入力手段で任意の撮像画像を前記複数のフレーム毎に選択許容する
写真シール自動販売方法。
【請求項２】
前記複数のフレーム毎に選択された任意の撮像画像から、前記印刷手段で写真シールとして印刷する１の撮像画像を選択させる
請求項１記載の写真シール自動販売方法。
【請求項３】
前記入替え表示を、スクロールバーの入力に従って前記撮像画像を任意にスクロールさせて入替え表示する処理に設定した
請求項１又は２記載の写真シール自動販売方法。
【請求項４】
複数備えた前記撮像手段で同期をとって前記連続撮像を実行し、
撮像した各撮像画像を、前記各撮像手段に対応する複数のフレーム内で前記入替え表示する
請求項１から３のいずれか１つに記載の写真シール自動販売方法。
【請求項５】
請求項１から４のいずれか１つに記載の写真シール自動販売方法を制御手段にて制御する
写真シール自動販売装置。
【発明の詳細な説明】
【０００１】
【発明の属する技術分野】
この発明は、例えばゲームセンター等のアミューズメント施設において、被写体を照明してデジタルカメラ等の撮像手段で写真を撮像し、その撮像画像を印刷手段でシール紙に印刷するような写真シール自動販売方法とその装置に関する。
【０００２】
【従来の技術】
従来、１の撮像開始指示に対してビデオ撮影のような間を開けない連続撮像を行う写真シール自動販売装置としては、ＣＣＤ（電荷結合素子）カメラで連続撮像し、連続撮像した各撮像画像を表示手段に並べて一覧表示する写真シール自動販売装置が提案されている。
【０００３】
この写真シール自動販売装置によれば、被写体をビデオ撮影のように連続して撮像し、一覧表示した全ての撮像画像を写真シールに印刷することができる。
【０００４】
【発明が解決しようとする課題】
しかし、前記連続撮像は連続撮像した撮像画像をそのまま全て印刷し、コマ送りのように動いている撮像画像を得ることが目的であり、連続撮像によって作った笑顔ではなく自然な表情やポーズを捕らえ、その中で気に入った撮像画像を選択するという概念はなかった。
【０００５】
その上、前記連続撮像は、蛍光灯等の照明手段を点灯させた状態で実行されており、上半身撮影であれば最低限必要な光量を得られるものの、全身撮影を行うためには光量が不足していた。さらに、上半身撮影においても被写体を美しく撮像するためには十分な光量とは言えなかった。
【０００６】
また、連続して撮像した画像を選択する方法として全ての撮像画像を一覧表示して選択させる方法があるが、一度に全ての撮像画像を一覧表示すると１つの画像サイズが小さくなり、顔の表情等を判別しづらかった。また、例えば１６枚の撮像画像を４つに分割して４枚ずつ一覧表示する方法では、移り具合を十分確認できても画面を次へ送っていく必要があり、操作がわずらわしく画像の選択に時間がかかっていた。
【０００７】
この発明は、短時間で被写体の自然な表情やポーズを多量に捕らえ、前記連続撮像の各撮像で光量を十分確保し、写真シールとして印刷する撮像画像を選択する際に内容が十分確認できるサイズで表示して素早く選択することができる写真シール自動販売方法とその装置及び写真シールシートを提案することを目的とする。
【０００８】
【課題を解決するための手段】
この発明は、照明手段で被写体を照明し、照明した前記被写体を撮像手段で撮像し、撮像した前記被写体の写真シールを印刷手段で印刷して販売する写真シール自動販売方法であって、制御手段で制御して、１の撮像開始指示に対して前記撮像手段で複数回連続して撮像する連続撮像を実行する際、該連続撮像の撮像タイミングに同期して前記照明手段を発光させ、表示手段に表示する複数のフレームのそれぞれに、異なる撮像時間ごと、複数備えた前記撮像手段ごとのうち、いずれか一方ごとに前記連続撮像した複数の撮像画像のいずれかを表示するとともに、前記いずれか一方ごとに対応する前記連続撮像した各撮像画像を、フレーム内で順に入替え表示し、入力手段で任意の撮像画像を前記複数のフレーム毎に選択許容する写真シール自動販売方法であることを特徴とする。
【０００９】
すなわち、例えば被写体がダンスしている様子などを連続撮像することで、撮像のために１回ずつポーズを取る場合と違って、自然な笑顔やポーズを多量に撮像することができ、選択できる撮像結果が増加して利用者の選択肢が広がる。また、撮像タイミングに同期して照明手段を発光させることで、少ない電力で十分な光量を得ることができ、全身撮像であっても明るく美しい撮像結果を得ることができる。
【００１０】
前記入替え表示は、制御手段で制御して所定時間毎に自動で入替え表示しても良いし、スクロールバー、スライドスイッチ、ロータリスイッチ等の入力手段を備えて、利用者によって任意に入替え表示してもよい。
【００１１】
これにより、例えば連続撮像した２０枚の撮像画像をフレーム内で順に入替え表示することで、２０枚を一度に並べて表示する場合と異なり、表情等が十分判別できるサイズで撮像画像を表示して利用者に素早く選択させることができる。
【００１２】
好ましい実施の形態として、前記写真シール自動販売方法は、前記複数のフレーム毎に選択された任意の撮像画像から、前記印刷手段で写真シールとして印刷する１の撮像画像を選択させることができる。
さらに、好ましい実施の形態として、前記写真シール自動販売方法は、前記入替え表示を、スクロールバーの入力に従って前記撮像画像を任意にスクロールさせて入替え表示する処理に設定した写真シール自動販売方法とすることができる。
すなわち、スクロールバーで撮像画像を任意にスクロールさせて入替え表示することで、利用者の好きなスピードで撮像画像を確認して素早く選択することができる。例えば最初の撮像画像から最後まで順に確認し、真ん中くらいに好みの撮像画像があった場合には、スクロールバーを中央付近に一気に移動させて素早く好みの撮像画像を表示して選択することができる。
【００１３】
好ましい実施の形態として、前記写真シール自動販売方法は、複数備えた前記撮像手段で同期をとって前記連続撮像を実行し、撮像した各撮像画像を、前記各撮像手段に対応する複数のフレーム内で前記入替え表示する写真シール自動販売方法とすることができる。
【００１４】
すなわち、複数備えた撮像手段の各撮像画像をそれぞれのフレームに分けて表示することで、各撮像手段の撮像画像を同時に表示して確認し、選択することができる。例えば同期を取って各撮像手段の撮像画像の入替え表示をする場合には、あるポーズに対する各撮像手段の撮像画像を同時に確認でき、好みのポーズで写っている撮像画像を表示させて、どの撮像手段で撮像したものがよいか選択することができる。
【００１５】
この発明は、前記写真シール自動販売方法を制御手段にて制御する写真シール自動販売装置とすることができる。
これにより、前記写真シール自動販売方法を現実に使用することができるようになる。
【００１６】
【発明の効果】
この発明により、通常のポーズをとって撮像を行う写真シール自動販売機と異なり、例えばダンスしている様子や話して笑っている様子などを撮像して、プロのモデルでないとなかなか撮像できない良い笑顔や自然なポーズを、一般人でも短時間で多量に撮像することができ、質の良い撮像画像から利用者が自由に選択して写真シールに印刷することができる。
【００１７】
また、撮像と同期して照明手段を発光させるため、少ない電力で十分な光量を得ることができ、上半身撮影に限られず全身撮影を行うことができる。
【００１８】
また、連続撮像による撮像画像がたとえば２０枚など多量にある場合でも、被写体の表情などが十分確認できるサイズで表示して選択することができる。
また、フレーム内で順に入替え表示することで、複数の撮像画像を素早く入替え表示して確認することができ、利用者が気に入った撮像画像を素早く選択することができる。
【００１９】
また、スクロールバーを使用した場合は、利用者が任意の速度で入替え表示して撮像画像を確認することができ、例えば最初の方と最後の方に好みの撮像画像があった場合には、最初の方の撮像画像と最後の方の撮像画像をスクロールバーを一気に移動させて素早く入替え表示することができ、自動で所定時間毎に順に入替え表示する場合や小さいサイズで一覧表示した場合より、写真シールにする撮像画像の選択時間を短くすることができる。
【００２０】
また、複数の撮像手段を備えて連続撮像し、各撮像手段の撮像画像をそれぞれのフレームに分けて表示することで、様々な角度からの撮像画像を同時に比べて選択することができる。
【００２１】
以上の効果により、利用者は、多量に撮像した自然な撮像画像から気に入った撮像画像を得て満足度が向上し、アミューズメント施設の経営者は、短時間で撮像して写真シールとする撮像画像を素早く選択させることで、１販売に要する時間を短縮して写真シール自動販売装置の稼働率を高め、売上を向上することができる。
【００２２】
【発明の実施の形態】
この発明の一実施形態を以下図面と共に説明する。
まず、図１に示す写真シール自動販売機１の外観を表した斜視図と共に、写真シール自動販売機１の構成について説明する。
【００２３】
写真シール自動販売機１はボックス状の枠で囲まれた撮像空間を備え、その一側面には筐体２が設置される。
筐体２の上半分はボックス状で中空の照明ボックス３を構成しており、該照明ボックス３は、内側面に白色塗装を施した反射板３２で正面を開口して形成する。
【００２４】
前記照明ボックス３の正面には、中央から下方に隙間を設けて上部と左右の３方に拡散板３１を設ける。前記拡散板は、左右のものは正面よりわずかに内側へ向かって傾斜させ、上部のものは、正面よりわずかに下側へ向かって傾斜させて、拡散板３１の上部及び左右の各板面が撮像空間中央の被写体に対向するように形成する。
【００２５】
前記照明ボックス３の内部には、ストロボ発光する３つの照明装置１６ａ，１６ｂ，１６ｃを拡散板３１に背を向けて備え、照明装置１６ａは照明方向を少し上向きに設け、その下に照明方向を左右外開きに照明装置１６ｂ，１６ｃ並設する。
【００２６】
前記照明ボックス３の正面中央にはデジタルカメラ１７を備え、該デジタルカメラ１７は撮像方向を水平よりわずかに下向けに形成して撮像方向を上下に変更可能に設ける
筐体２の正面中央には、画像を表示するディスプレイ１８を備え、該ディスプレイ１８にはタッチパネル１４ｂを重ねて設け、タッチペン１４ａによって落書き等をペンタッチ入力する入力装置を備える。
【００２７】
筐体２の正面下部には、貨幣（例えば硬貨）を投入する投入口１５ａを備え、その右側側面に写真シール５を印刷して排出する写真シール排出口１９ａを備える。
筐体２の下部内部には、ＰＣ（パーソナルコンピュータ）１１を備える。
【００２８】
写真シール自動販売機１の枠部の天井部には、平面視四角形で側面視及び正面視台形の天井照明ボックス４を備える。該天井照明ボックス４は、底面に光を拡散させる拡散板４１を設け、他の面に内面を白色に塗装した反射板４２を設けて中空に構成し、筐体２側が水平より少し下になるように傾けて備える。
【００２９】
前記天井照明ボックス４の内部には、ストロボ球が発光する照明装置１６ｄを照明方向が筐体２に向かって水平より上向きになるように備え、その光を反射板４２で反射させて拡散板４１で拡散させ、被写体を上から照明する。
前述の照明手段の構成により、前記照明装置１６ａ，１６ｂ，１６ｃ，１６ｄからの光は、照明ボックス３内部及び天井照明ボックス４内部で反射板３２，４２によって様々な方向に反射し、その反射光が拡散板３１，４１で拡散され、略均一に被写体を照射する。
【００３０】
以上の構成により、デジタルカメラ１７と照明装置１６を使用して連続撮像を行い、該連続撮像の撮像画像をディスプレイ１８に表示して利用者にタッチペン１４ａで選択させる。
【００３１】
次に、図２に示す回路ブロック図と共に、写真シール自動販売機１の構造について説明する。
制御処理を実行する制御装置１２は前述のＰＣ１１の内部に設け、各装置の制御処理及びプログラムの実行を行う。
【００３２】
入力装置１４は、前述したようにディスプレイ１８に重ねて設けられたタッチパネル１４ｂとタッチペン１４ａとにより形成し、利用者にタッチペン１４ａで操作された内容に該当する信号を入力信号として制御装置１２に送信する。
貨幣処理装置１５は、前述の投入口１５ａの内部に設けられ、投入された貨幣（例えば硬貨）の真偽判別、金種判別を行い、投入金額を処理信号として制御装置１２に送信する。なお、この処理信号は、写真シール自動販売機１のプレイを開始する起動信号にもなる。
【００３３】
照明装置１６は、前述の照明ボックス３及び天井照明ボックス４の各内部に収納され、それぞれ制御装置１２からの照明制御信号に従ってストロボ発光を実行し、その光を反射板３２，４２で反射させてさらに拡散板３１，４１で拡散させ、被写体を略均一に照明する。
【００３４】
デジタルカメラ１７は、制御装置１２より連続したシャッタ信号を受取って連続撮像を実行し、撮像中にディスプレイ１８に表示するための動画データや、連続撮像した静止画データといった画像データを制御装置１２に送信する。
ディスプレイ１８は、制御装置１２よりＲＧＢ信号を受信し、該信号に従って画像を表示する。
プリンタ１９は、制御装置１２よりプリント画像データを受信し、写真シール５（図１）にプリント画像を印刷して排出する。
【００３５】
以上の構造により、制御装置１２で制御してデジタルカメラ１７の撮像タイミングと照明装置１６の発光タイミングの同期をとって連続撮像を実行し、該連続撮像の撮像画像をディスプレイ１８に表示して利用者にタッチペン１４ａ（図１）で選択させてその入力信号を受け取り、選択された撮像画像をプリンタ１９で写真シール５に印刷する。
【００３６】
次に、写真シール自動販売機１の販売処理について、図３に示す処理フロー図と共に説明する。
利用者によって投入口１５ａに貨幣（例えば硬貨）が投入されると、貨幣処理装置１５は真偽判別及び金種判別を行い、投入金額を処理信号として制御部１２に送信する（ステップｎ１）。このとき、前記処理信号が起動信号となって、写真シール自動販売機１は自動販売を開始する。
【００３７】
制御装置１２は、デジタルカメラ１７で撮像している画像をディスプレイ１８に動画表示し、カウントダウンを行って連続撮像処理を開始する。カウントダウンの後に制御部１２は、デジタルカメラ１７での撮像と照明装置１６の発光との同期をとって連続して実行し（例えば２０回実行）、その画像データを受取る（ステップｎ２）。
【００３８】
制御装置１２は、前記画像データをディスプレイ１８に表示して印刷したい画像を利用者に選択させる選択処理を実行し（ステップｎ３）、タッチペン１４ａで前記選択画像に落書きをさせた後（ステップｎ４）、その落書き画像をプリンタ１９で印刷して処理を終了する（ステップｎ５）。
【００３９】
以上の処理により、１回の撮像開始指示（この場合は硬貨投入）に従ってデジタルカメラ１７の撮像タイミングと照明装置１６の発光タイミングの同期をとって連続撮像を実行し、該連続撮像の撮像画像を利用者に選択させ、選択された撮像画像にタッチペン１４ａで落書きされた落書き画像を写真シール５に印刷して放出する。
【００４０】
次に、前述の画像選択処理（ステップｎ３）の詳細について説明する。
まず、撮像画像を入替え表示するフレームを複数備えた場合について説明する。
図４は画像選択処理の際にディスプレイ１８に表示する画面イメージ図を示し、図５は選択処理の処理フロー図を示す。
ディスプレイ１８には、図４に示すように４つのフレーム２１（２１ａ，ｂ，ｃ，ｄ）を表示し、各フレーム２１に対応してスクロールバー２２（２２ａ，ｂ，ｃ，ｄ）を備える。
【００４１】
フレーム２１の表示とスクロールバー２２の表示は連動しており、例えばスクロールバー２２ａを左端に移動すると、フレーム２１ａに表示する撮像画像は連続撮像で１番目に撮像された撮像画像となり、スクロールバー２２ａを右へ移動するに従ってフレーム２１ａに表示する撮像画像も２番目、３番目と順に進む。
前記各フレーム２１及び各スクロールバー２２の機能は同一であり、例えば全てのスクロールバー２２を左端に移動すると、全てのフレーム２１に１番目の撮像画像が表示される。
【００４２】
以上の各フレーム２１及びスクロールバー２２は、図５に示す画像選択処理の処理フローに従って動作する。
利用者は、例えばスクロールバー２２ａを移動させてフレーム２１ａに表示している撮像画像の入替え表示を行う（ステップｐ１）。
【００４３】
入替え表示を繰り返して好みの画像が表示されると（ステップｐ２）、写真シール５に印刷する出力画像を決定するか考える（ステップｐ３）。
【００４４】
まだ出力画像を決定しないのであれば、次のフレーム２１（例えばフレーム２１ｂ）に移り（ステップｐ４）、ステップｐ１の前に戻ってそのフレーム２１ｂの入替え表示を行う。
【００４５】
前記ステップｐ１からｐ４を繰り返して、ステップｐ３で例えばフレーム２１ｃに表示させている撮像画像を出力画像にすることを決めると、利用者はタッチペン１４ａでフレーム２１ｃをタッチして出力画像を決定する。
【００４６】
以上の処理により、フレーム２１ａ，ｂ，ｃ，ｄを同じ要領で操作して、印刷する出力画像の候補をそれぞれに表示し、最終的に最も気に入った撮像画像を出力画像として選択することができる。
なお、フレーム２１ａ及びスクロールバー２２ａのみを表示して、１つのフレーム２１及びスクロールバー２２で出力画像とする撮像画像を直接選択するように構成しても良い。
【００４７】
次にデジタルカメラ１７を正面のデジタルカメラ１７ａ（図示せず）、上部のデジタルカメラ１７ｂ（図示せず）、下部のデジタルカメラ１７ｃ（図示せず）の３つ備えた場合の画像選択処理ついて説明する。この場合は、デジタルカメラ１７ａは筐体２の中央に備え、デジタルカメラ１７ｂは筐体２の上部中央、デジタルカメラ１７ｃは筐体２の下部中央に備え、各デジタルカメラ１７が並列処理を実行できるようにそれぞれを制御装置１２に直接接続する。
【００４８】
画像選択処理の際は、図６の画面イメージ図に示すように、デジタルカメラ１７ａで撮像した撮像画像はフレーム２１ｆに表示し、同様にデジタルカメラ１７ｂの撮像画像はフレーム２１ｇに、デジタルカメラ１７ｃの撮像画像はフレーム２１ｈにそれぞれ表示する。各デジタルカメラ１７に対応して備えたスクロールバー２２（２２ｆ，ｇ，ｈ）は、全て同期をとって動作するように設けられており、例えばスクロールバー２２ｆを移動させると、同時にスクロールバー２２ｇ，ｈも同じだけ移動し、フレーム２１ｆ，ｇ，ｈに表示する撮像画像はつねに同じタイミングで撮像された撮像画像となる。
【００４９】
この場合の画像選択処理の処理フローは、図５を用いて説明した前述の画像選択処理の処理フローと同一であるので、詳細な説明を省略する。
以上の処理により、フレームｆ，ｇ，ｈを同じ要領で操作して、各デジタルカメラ１７の撮像画像をそれぞれに表示して、最終的に最も気に入った撮像画像を出力画像として選択することができる。
【００５０】
なお、図６に仮想線で示すように同期ボタン２４及び非同期ボタン２５を表示しておき、同期ボタン２４を押下された場合は前述の同期をとったスクロールバー２２の制御を行い、非同期ボタン２５を押下された場合は各スクロールバーを独立して移動することを許容し、それに伴ってフレーム２１も対応するスクロールバー２２の移動に従って、他のフレーム２１と独立して入替え表示するように構成しても良い。
【００５１】
次に、デジタルカメラ１７と撮像画像選択処理で表示するフレームを１つで構成し、出力画像の候補を複数サムネイル表示しておき、最終的に１つの撮像画像を選択する場合について説明する。
図７は画面イメージ図を示し、フレーム２１ｊを大きく表示してその下にスクロールバー２２ｊを表示し、前記フレーム２１ｊの右横にはサムネイル２７ａ，ｂ，ｃを縦並びに表示し、画面右下には決定ボタン２８を表示する。
【００５２】
前記フレーム２１ｊに表示する撮像画像は、スクロールバー２２ｊの移動に従って入替え表示を行い、決定ボタン２８をタッチペン１４ａでタッチされると、そのとき表示している撮像画像をサムネイル２７に表示する。
前記サムネイル２７をタッチされると、タッチされたサムネイル２７の撮像画像が選択画像として決定される。
【００５３】
図８は処理フロー図を示し、利用者はまずスクロールバー２２ｊを操作してフレーム２１ｊに表示する撮像画像を入替える（ステップｒ１）。
前記入替えを繰り返して出力画像の候補となる画像が表示されると（ステップｒ２）、利用者は決定ボタンをタッチして（ステップｒ３）、その候補画像をサムネイル２７（例えばサムネイル２７ａ）に表示する（ステップｒ４）。
【００５４】
候補画像が十分でないと利用者が判断したときは（ステップｒ５）、ステップｒ１に戻って処理を繰り返す。例えばこのとき決定ボタンをタッチすると、その画像はサムネイル２７ｂに表示される。
【００５５】
前記ステップｒ５で、利用者が候補画像は十分と判断するか候補画像がサムネイル表示の限度数に達すると、利用者は最も気に入った候補画像のサムネイル２７をタッチして出力画像を決定し（ステップｒ６）、画像選択処理を終了する。
【００５６】
なお、以上の実施形態では選択できる撮像画像を１つとして説明したが、複数選択できるように構成し、写真シール５に複数種類の撮像画像を印刷するようにしても良い。
また、撮像開始指示は、硬貨投入を撮像開始指示としても良いし、ディスプレイ１８に開始ボタンを表示して利用者にタッチペン１４ａでタッチされて撮像開始指示としてもよいし、撮像開始ボタンを写真シール自動販売機１のどこかに設けてもよい。
【００５７】
また、撮像中にディスプレイ１８に動画表示するためのカメラを別個に備え、デジタルカメラ１７を連続撮像専用に構成しても良い。
また、撮像空間及び撮像の背景を演出するミラーボールや、音楽等を発音するスピーカを備えて、撮像空間を一種のダンスホールのように演出し、利用者が楽しく撮像できるように構成してもよい。
【００５８】
この発明の構成と、上述の実施形態との対応において、
この発明の写真シール自動販売装置は、実施形態の写真シール自動販売機１に対応し、
以下同様に、
写真シールシートは、写真シール５に対応し、
制御手段は、制御装置１２に対応し、
入力手段は、入力装置１４に対応し、
照明手段は、照明装置１６に対応し、
撮像手段は、デジタルカメラ１７に対応し、
表示手段は、ディスプレイ１８に対応し、
印刷手段は、プリンタ１９に対応し、
フレームは、フレーム２１に対応し、
スクロールバーは、スクロールバー２２に対応するも、
この発明は、上述の実施形態の構成のみに限定されるものではなく、多くの実施の形態を得ることができる。
【図面の簡単な説明】
【図１】写真シール自動販売機の外観を表す斜視図。
【図２】写真シール自動販売機の内部構造を表す回路ブロック図。
【図３】写真シール自動販売機の全体の処理フロー。
【図４】出力画像選択処理の画面イメージ図。
【図５】出力画像選択処理の処理フロー図。
【図６】出力画像選択処理の画面イメージ図。
【図７】出力画像選択処理の画面イメージ図。
【図８】出力画像選択処理の処理フロー図。
【符号の説明】
１…写真シール自動販売機
５…写真シール
１２…制御装置
１４…入力装置
１６…照明装置
１７…デジタルカメラ
１８…ディスプレイ
１９…プリンタ
２１…フレーム
２２…スクロールバー
【図１】
0004649796.tif 000002
【図２】
0004649796.tif 000003
【図３】
0004649796.tif 000004
【図４】
0004649796.tif 000005
【図５】
0004649796.tif 000006
【図６】
0004649796.tif 000007
【図７】
0004649796.tif 000008
【図８】
0004649796.tif 000009